(57)【要約】      （修正有）【課題】高濃度汚染水及び高濃度汚染物質の放射線減少方法、最終処分場の建設技術を提供する。【解決手段】トルマリン水や活性水素水によって放射線減少を行う。コンクリート製の最終処分場とする。【選択図】図１
2016200572.tif 000002
【特許請求の範囲】
【請求項１】
自衛隊のノウハウ（除染技術）
【発明の詳細な説明】
【技術分野】
【０００１】本発明は、１つ目は高濃度汚染水及び高濃度汚染物質の放射線減少方法（この方法を▲１▼と表示）。  ２つ目は最終処分場の構造について（この事例を▲２▼と表示）とする。
【背景技術】
【０００２】１つ目の放射線減少方法は放射線（α線、β線、γ線、エックス線、中性子線）があるがα線、β線の遮蔽は意外と簡単である。α線は紙で、β線はアルミニウムや薄い金属板等で遮蔽できる。問題はγ線やエックス線、そして中性子線である。  エックス線はγ線と同じ性質を持った電磁波である。  γ線やエックス線は鉛や厚い鉄の板で遮蔽するが、エックス線は水のような軽い物質やコンクリートには水を含んでおり、厚いコンクリートによっても遮蔽できる。  また、タングステン、金などは遮蔽に適している。  γ線は物質中で光電効果コンプトン散乱電子対生成を繰り返しながらエネルギーを失っていく。最終的に遮蔽（エネルギーを失う）電子の数が多いとコンプトン散乱や光電効果が起こり安くなるし、原子番号が大きいと有効核電価が起こり安くなる。  タングステンや金は鉛より遮蔽効果が大きい。（光電効果とは金属等に光を照射すると光電子が飛び出す。外部光電効果）これでお分かりのように、トルマリン水や活性水素水（発明者が発明した活性水素水）がγ線のエネルギーを減衰する効果があることを証明している。  要するに、燃料棒の放射線を減衰するにはタングステンや金で囲いその中にトルマリン水や活性水素水で浸しておけば良いことになる。燃料棒だけではなく、高濃度汚染物質類も同じである。
今福島第一原発のメルトダウンの時落ちた燃料の回収にももっと早い段階から、トルマリン水や活性水素水に浸しておけば少しは放射線のエネルギーが喪失して、ロボットの故障もなかったと思われる。
２つ目の最終処分場のことですが、今は最終処分場とは言っていません。
しかし、ある程度経った時期に農地所有者らに説明する会を設けて、そこに参加した人に説明したら、最終処分場に変更できるらしい。これは、大阪府の条例にあるらしいです。  （私が町会長をしているときに経験済）
そう言うことで、今現在福島の中間貯蔵所としていますが、いつ最終処分場になるか分かりません。  また、今の処分場はシートを敷いていますがこれは政府が最終処分場と認める工法になっていますが、これは間違いです。  まだ、シートの耐用年数は確認されていません。  放射能が減衰する期間シートが持つとは限りません。
今の条例は、最終処分場はコンクリートでするようになっていませんが、シートでも良いようになっている。    しかし、私が町会長をしていた時は、シートはダメでした。コンクリート製で囲うことになっていました。  このように２つとも東電の施工能力に問題があります。
【先行技術文献】
【特許文献】
【０００３】  凍土壁においても、新工法として業者の相見積もりで積算しますので高く尽きます。  積算根拠がないわけですから、東電、官庁とも業者の言いなりになります。  何の意味もないのに凍土壁を施工したと言うことです。
【発明の概要】
【発明が解決しようとする課題】
【０００４】これはもうお分かりのように、解決しようとする課題は東電を一から立て直すことからです。  後進国は人作りからです、もっと言うなら京都大学の元会田雄二名誉教授曰く、後進国は軍隊からと言うように気骨のある青年は軍隊に入り、金持ちの要領の良い子は第二世としてまた東電に入りルンルン気分で勤務していると思う。ある政治家の子供も東電にはいっている。
【課題を解決するための手段】
【０００５】福島県内堀知事がいつまでも、東電に頼ることせず、自からが考えこの場合は大規模・災害派遣支援を国（内閣総理大臣  安倍晋三大臣）に要請することです。  軍は国の要です。国民の生命・財産を守る使命があるのです。  今は自衛隊として国民の負託に答えようと日夜頑張っています。  国民が信頼してこそ自衛隊も頑張れるのです。
課題を解決するための手段は、福島県知事が大規模・災害派遣支援を国に要請することです。
福島県知事→安倍内閣総理大臣に要請→中谷防衛省大臣→自衛隊部隊（特殊部隊）→立案計画（業者と共同）→発注（業者及び東電）＊東電はこのように業者かあるいは業者の協力会社になる。
東電の能力はそれ位だと思いますよ。中には優秀な人も居られると思いますが、一度良い経験を積んでもらった方がその人にとってもといと思います。
【発明の効果】
【０００６】（イ）新鮮な感覚で仕事ができる。
（ロ）作業員も健康管理ができる。
（ハ）自衛隊も戦争ばかり考えるのではなく、眞の国民の生命・財産を守ることで誇りが持てる。
（ニ）これをやり遂げると、世界からも眞の日本の自衛隊に信頼が寄せられる。
【図面の簡単な説明】
【０００７】
【図１】自衛隊の編成図
【発明を実施するための形態】
【０００８】実際、自衛隊も本当に役に立つのだろうかと考えている人も多いはず。
自衛隊の編成図を［図１］に書く。
科学の進歩でもはや、  国家間の戦争はほとんどできなくなる。
原子爆弾や核融合爆弾さらにプラズマ兵器やＵＦＯの出現で戦争はできない。  ゲリラ、テロなどだがこれらの組織も強力で一国の兵力にもなる。  常に自衛隊も実践を身につけること。
【本発明を使用するときは以下の手順で行う】
【００１０】自衛隊の内規による。
自衛隊
１．陸上自衛隊
２．海上自衛隊
３．航空自衛隊
ＯＢ会
１．隊友会
２．つばさ会
協力企業
１．谷澤総合鑑定所・環不動産鑑定所
土地の買い上げ・或は５０年賃貸契約
土地測量・算定・契約
２．パイロットプラントの建設
設計業務  日建設計・昭和設計・安井設計
基礎工事  不動技研
サイロ    鴻池組
搬送施設  椿本チェン
アークプラズマごみ焼却炉  タクマ
同  上  設  備  設  計  潮設備コンサルタント
発電設備    三菱重工・三菱電機
汚染物質除染装置及びウォーターブース  三菱重工・大気社
空調設備工事      ダイキン工業
給排水衛生工事    三機工業
ブラウンガス      ジパングエナジー
製造・配管・運営      同      上
電気設備工事      関東電気工事・東光電気・三菱電機
計装工事          山武計装・三菱電機
中央監視棟        大林組・鴻池組・栗本建設工業・松本組ＪＶ
各施設の建屋棟        同        上
クリーンルーム      ダイキン工業
一般ルーム（放射能除染装置）  三菱重工・大気社・三機工業ＪＶ
放射能遮蔽工事    大林組・鴻池組・栗本建設工業・松本組ＪＶ
関係官庁
福島県
環境省
自衛隊    中央即応集団  司令官１名以下５０名
中央監視棟にて操作・監視
汚染物資等の搬入        運送業者
セラミック等の搬出      運送業者
【図１】
2016200572.tif 000003
【図１】
2016200572.tif 000004
【手続補正書】
【提出日】平成27年6月4日(2015.6.4)
【手続補正２】
【補正対象書類名】図面
【補正対象項目名】全図
【補正方法】変更
【補正の内容】
【図１】
2016200572.tif 000005
【図２】
2016200572.tif 000006
【手続補正３】
【補正対象書類名】明細書
【補正対象項目名】０００７
【補正方法】変更
【補正の内容】
【０００７】
【図１】  自衛隊の編成図
【図２】  システム及び設計図書